(57)【要約】【課題】額縁のフレームに取り付けるときに、その蟻溝としての取付溝に差し込む抵抗が言わば半減するため操作が容易であるとともに、内容物を安全確実に押さえ止めることができ、しかも、梃子の原理で逆止爪から逆足部を外すことができることから取外し操作が至って容易となる額縁における内容物押え具を提供する。【解決手段】基部体は、フレームの裏面に当たる位置の腰部を有するとともに、取付溝に弾性変形させながら押し込み得る主副両脚を、その腰部から直接または迂回片を介して二股に突設し、腰部には内外方向に抜ける横幅のスライド溝を形成してあり、他方、スライド押え片は、基部体のスライド溝に保持される弾性変形可能な板状であって、基部体の主副両脚のうちの主脚に取付溝の前記逆止爪に脱出不能に掛かり得る逆足部を形成し、他方の副脚を取付溝に引き出し自在に形成してある。【選択図】    図１
2008253490.tif 000002
【特許請求の範囲】
【請求項１】
枠組みされるフレームの後部に裏面開口ないし枠内面開口に内容物押え具の取付溝を設け、その溝内では裏方から枠内方回り側の内側溝壁の内面に逆止爪が突設される額縁において、それぞれプラスチックからなる基部体と内容物のスライド押え片との組み合わせからなり、そのうち、基部体は、フレームの裏面に当たる位置の腰部を有するとともに、取付溝に弾性変形させながら押し込み得る主副両脚を、その腰部から直接または迂回片を介して二股に突設し、腰部には内外方向に抜ける横幅のスライド溝を形成してあり、他方、スライド押え片は、基部体のスライド溝に保持される弾性変形可能な板状であって、基部体の主副両脚のうちの主脚に取付溝の前記逆止爪に脱出不能に掛かり得る逆足部を形成し、他方の副脚を取付溝に引き出し自在に形成してあって、この副脚の引き出しを伴いながらスライド押え片の引き出し端部を持ち上げたときに、梃子の原理で主脚の逆足部が逆止爪から横へ外れるように、接触する支点が内側溝壁の開口縁部の箇所となることを特徴とする額縁における内容物押え具。
【請求項２】
枠組みされるフレームの後部に裏面開口ないし枠内面開口に内容物押え具の取付溝を設け、その溝内では裏方から枠内方回り側の内側溝壁の内面に逆止爪が突設される額縁において、それぞれプラスチックからなる基部体と内容物のスライド押え片との組み合わせからなり、そのうち、基部体は、フレームの裏面に当たる位置の腰部を有するとともに、取付溝に弾性変形させながら押し込み得る一脚を、その腰部から直接または迂回片を介して突設し、腰部には内外方向に抜ける横幅のスライド溝を形成してあり、他方、スライド押え片は、基部体のスライド溝に保持される弾性変形可能な板状であって、基部体の一脚に取付溝の前記逆止爪に脱出不能に掛かり得る逆足部を形成してあって、さらに、基部体には、該逆足部を逆止爪に脱出不能に掛かり得る押しとなるよう溝壁に対する弾性変形可能な接触部を設け、一脚の引き出しを伴いながらスライド押え片の引き出し端部を持ち上げたときに、梃子の原理で一脚の逆足部が逆止爪から横へ外れるように、接触する支点が内側溝壁の開口縁部の箇所となることを特徴とする額縁における内容物押え具。
【請求項３】
前記一脚を蛇行状に形成することにより、当該一脚の突出基部において外側溝壁に対する弾性変形可能な前記接触部を設けたことを特徴とする請求項２記載の額縁における内容物押え具。
【請求項４】
前記一脚を反転屈折するく字形ないしフック形に形成することにより、反転する箇所において外側溝壁に対する弾性変形可能な前記接触部を設けたことを特徴とする請求項２記載の額縁における内容物押え具。
【請求項５】
腰部に内側溝壁の外面に対する弾性変形可能な前記接触部を突設したことを特徴とする請求項２記載の額縁における内容物押え具。
【請求項６】
一脚を取付溝に弾性変形して差し挟まれる筒形に形成することにより外側溝壁に対する弾性変形可能な前記接触部を設けたことを特徴とする請求項２記載の額縁における内容物押え具。
【請求項７】
基部体の横幅方向の中央部にスライド溝に至る下面開放の切欠を設けることにより、スライド溝を開拡可能に基部体を二股に形成してあることを特徴とする請求項１，２，３，４，５又は６記載の額縁における内容物押え具。
【請求項８】
基部体の横幅方向の中央部にスライド溝に至る上面開放の通し口を設け、スライド押え片の中央部にその通し口を通過する指掛けを設けたことを特徴とする請求項１，２，３，４，５，又は６記載の額縁における内容物押え具。
【発明の詳細な説明】
【技術分野】
【０００１】
この発明は、フレームが押出形材である額縁において、裏板やキャンパス等の内容物を脱出しないように裏側でプラスチックの弾力により止める押え具に関する。
【背景技術】
【０００２】
従来、額縁における内容物押え具としては、フレームの裏側に所謂トンボと称される掛止片を回転可能に取り付け、その回転位置で裏板等を脱出不能に止めるものが多用されてきたが、これでは内容物の厚みに対応できないこと、掛止片の着脱が容易でないこと等の不都合な点があることから、本出願人において、先に、弾性変形する押え片の弾力で内容物の厚みに対応でき、また、フレームに蟻溝を設けて取り付けるために着脱可能である額縁における内容物押え具を提案した（特許文献１）。
【０００３】
図１６に示すように、その内容物押え具Ｐａは、フレーム５０の裏面に蟻溝５２が開口する額縁において、その蟻溝５２に差し込み得る二股状である取付け基部体５４と、その上端腰部５６にスライド可能に貫通して結合される湾曲した弾性変形可能なスライド押え片５８とからなるもので、蟻溝５２の両側内面には逆止爪６０，６０が形成され、基部体５４の二股両脚６２，６２にはその逆止爪６０，６０に脱出不能に掛かる逆足部６４，６４が形成されていた。
【特許文献１】特許第２８６６３０４号公報
【発明の開示】
【発明が解決しようとする課題】
【０００４】
上記のような従来の額縁における内容物押え具によれば、基部体５４の両脚６２，６２をフレーム５０の蟻溝５２に差し込むと、両脚６２，６２の間が一旦狭まることにより両逆足部６４，６４が逆止爪６０，６０に引っ掛かって取り付けられるが、その際に両脚６２，６２の弾性変形量の総計のため、差し込に抵抗を伴うことで取付けが困難であった。
【０００５】
取付け状態においては、スライド押え片５８の弾力で内容物を押さえて保持でき、作品を取り外すときには、スライド押え片を外へ引き出せば内側先端での押さえを都合良く解除することができる。加えて、両逆足部６４，６４が股開きの弾性により逆止爪６０，６０に引っ掛かり相互に相手の引っ掛かりを保持することになるので、特別の操作をしない限り決して外れることのない安定性を有する。しかしその反面、スライド押え具を何らかの理由により、例えば不良交換のためや、誤って過剰に取り付けた余りを取り外したいときにはその操作に困難が伴う不都合があった。
【０００６】
この発明は、上記のように実情に鑑みて、額縁のフレームに取り付けるときに、その蟻溝としての取付溝に差し込む抵抗が言わば半減するため操作が容易であるとともに、内容物を安全確実に押さえ止めることができ、しかも、梃子の原理で逆止爪から逆足部を外すことができることから取外し操作が至って容易となる額縁における内容物押え具を提供することを課題とした。
【課題を解決するための手段】
【０００７】
上記の課題を解決するために、この発明は、枠組みされるフレームの後部に裏面開口ないし枠内面開口に内容物押え具の取付溝を設け、その溝内では裏方から枠内方回り側の内側溝壁の内面に逆止爪が突設される額縁において、それぞれプラスチックからなる基部体と内容物のスライド押え片との組み合わせからなり、そのうち、基部体は、フレームの裏面に当たる位置の腰部を有するとともに、取付溝に弾性変形させながら押し込み得る主副両脚を、その腰部から直接または迂回片を介して二股に突設し、腰部には内外方向に抜ける横幅のスライド溝を形成してあり、他方、スライド押え片は、基部体のスライド溝に保持される弾性変形可能な板状であって、基部体の主副両脚のうちの主脚に取付溝の前記逆止爪に脱出不能に掛かり得る逆足部を形成し、他方の副脚を取付溝に引き出し自在に形成してあって、この副脚の引き出しを伴いながらスライド押え片の引き出し端部を持ち上げたときに、梃子の原理で主脚の逆足部が逆止爪から横へ外れるように、接触する支点が内側溝壁の開口縁部の箇所となることを特徴とする額縁における内容物押え具を提供する。
【０００８】
額縁における内容物押え具を上記のように構成したから、額縁に取り付けるために主副両脚をフレームの取付溝に差し込むと、主脚の逆足部を一つだけ通すための弾性変形となるので、二つの場合に比して差し込み抵抗が半減的に少なくなる。しかも、押し込み状態では副脚が外側溝壁の内面を押す反作用で主脚を内側溝壁に押して逆止爪に対する逆足部の引っ掛かりを保持する作用を果たす。
【０００９】
そこで、スライド押え片を内容物に押し出すと、外側溝壁の上端部に（腰部や副脚が）接触する箇所が支点となり、逆止爪に対して逆足部がさらに食い込むこととなるために、その引っ掛かりが一層確実となり、したがって、内容物に対するスライド押え片の押さえが如何に強くても確実に保持される。また、逆止爪に対する逆足部の引っ掛かり部分を支点と見ると、作用点部分としての副脚が取付溝に押し込まれる作用が働き、このことによっても内容物の押さえの確実性が保障される。
【００１０】
また、第２発明は、枠組みされるフレームの後部に裏面開口ないし枠内面開口に内容物押え具の取付溝を設け、その溝内では裏方から枠内方回り側の内側溝壁の内面に逆止爪が突設される額縁において、それぞれプラスチックからなる基部体と内容物のスライド押え片との組み合わせからなり、そのうち、基部体は、フレームの裏面に当たる位置の腰部を有するとともに、取付溝に弾性変形させながら押し込み得る一脚を、その腰部から直接または迂回片を介して突設し、腰部には内外方向に抜ける横幅のスライド溝を形成してあり、他方、スライド押え片は、基部体のスライド溝に保持される弾性変形可能な板状であって、基部体の一脚に取付溝の前記逆止爪に脱出不能に掛かり得る逆足部を形成してあって、さらに、基部体には、該逆足部を逆止爪に脱出不能に掛かり得る押しとなるよう溝壁に対する弾性変形可能な接触部を設け、一脚の引き出しを伴いながらスライド押え片の引き出し端部を持ち上げたときに、梃子の原理で一脚の逆足部が逆止爪から横へ外れるように、接触する支点が内側溝壁の開口縁部の箇所となることを特徴とする額縁における内容物押え具を提供するものである。
【００１１】
額縁における内容物押え具を上記のように構成したから、溝壁に対する弾性変形可能な接触部が第１発明における副脚と同じ役目を果たすため、第１発明と同じ作用となる。
【００１２】
次に、押え具を取り外すときには、スライド押え片を引き出してその引き出し端部を持ち上がる。そうすると、副脚が取付溝から引き上げられることから、今度は内側溝壁の上端部が支点となってスライド押え片が反転する動作とともに、主脚が同反転回り方向へ反転することによりその逆足部が逆止爪から横へ（外側へ）ずれて外れることになる。この際には、その反転を副脚が弾性変形で許容するので、逆足部の外れは確実に発生する。
【発明の効果】
【００１３】
以上説明したように、この発明によれば、額縁のフレームに取り付けるときに、その蟻溝としての取付溝に差し込む抵抗が半減するため、ワンタッチ操作の取付けに適し、また、このように抵抗が少なくなることを利用して、逆止爪に対する逆足部の引っ掛かりを従来よりも比較的多く取り得ることから、逆足部の引っ掛かりを深くして一層内容物の押さえの確実性を高めることができ、また、取付溝の溝幅の縮小でフレームのシャープ化を図ることも可能であり、しかも、押え具を取り外すときには、梃子の原理が良く働いて逆止爪から逆足部が容易に外れることから取外しもワンタッチと至って容易となるという優れた効果がある。
【００１４】
加えて、請求項７の如くにすれば、基部体の横幅の拡張で取付けの安定性を向上させる場合に、切欠により取付溝への差し込みの抵抗を減少でき、また、基部体とスライド押え片との組み付けが容易となる。
【発明を実施するための最良の形態】
【００１５】
次に、この発明の実施形態を図面に基づいて説明するが、それには額縁のフレームに設けられる取付溝について、背面開口型と、内側面開放型とに大きく実施を分けて図示した。ただし、技術的思想を同じくする限り、その中間として取付溝が内向傾斜型であってもこの発明の趣旨に反しなく、この発明の範囲に属するものとする。
【００１６】
図１ないし図５は、背面開口型の一実施例を示したもので、その額縁Ｇのフレーム１には内容物Ｗの押え具Ｐを装着するため、前記取付溝２が裏面に開口し、押え具Ｐが二股状の基部体４と弓形に湾曲したスライド押え片５とからなっている。なお、内容物Ｗとは、フレーム１の枠組み内に納められる例えば透明板、作品、裏板等を一体に総称する。
【００１７】
フレーム１は、アルミ押出形材からなり、後部に側壁を一部とするＨ形を形成することにより内外両側溝壁３，３ａからなる取付溝２が形成され、前端に内容物Ｗ（透明板）が掛かる前面壁６が形成される。したがって、作品の出し入れは、原則として、押え具Ｐの押えを解除してなされることになる。
【００１８】
取付溝２は、この実施例の場合、口許開き状に形成したことなどが関係して、内外両側溝壁３，３ａの内面には、口許の内向斜面の下にストレート面１２，１２を有する（図１）。そして、溝下端部に広い空間１３を設けることにより、内側溝壁３では抜ける方向へ直角の迎え角となる段差を有し、口許からストレート面１２にわたる長い異形の逆止爪７が形成される。なお、この逆止爪７を有する内側溝壁３が枠内方回りＲの側である。一方、外側溝壁３ａではストレート面１２の下端が湾曲して引っ掛かりのない逃し面となっている。
【００１９】
押え具Ｐの基部体４および押え片５は、それれぞれ弾性変形可能な硬質のプラスチックによりそれぞれ成形されており、そのうち、基部体４は、腰部１８から主副両脚１９，２０が垂下する言わば下半身形であって、その主脚１９にのみ逆足部２１が突設され、副脚２０には、逆に差し込みに抗しないよう下端の外側で薄形に形成される。また、基部体４の腰部１８にはスライド押え片５を通すスライド溝２５が設けられ、該溝２５がスライド押え片５をフレーム１の裏面に接合する位置に形成される。
【００２０】
次に、スライド押え片５は、矩形の薄板が中央に高く弓形に湾曲する弾性体であるが、先端縁に上向きの指掛け２７と下向きの押し縁２９が上下一体状に突設される他、先端部幅中央に裏板等に鋲で止めるためのその通し穴３１が設けられる。また、基端部には幅広く長穴３３を設けるとともに、先端中央に長穴３３の開口３５が設けられ、両隅角に有する抜け止めストッパーとしての角部３７，３７の間の寸法を開口３５で縮小できるようにした。つまり、基部体４にスライド押え片５を取り付けるときには、この実施形態の場合、ストッパーを有するにもかかわらず、そこの端からスライド溝２５に通しやすくした。
【００２１】
基部体４の主副両脚１９，２０は、取付溝２の両ストレート面１２，１２に密接するようほゞ平行に垂下しており、取付溝２に差し込まれると、一の逆足部２１の突出分だけ両脚１９，２０間が一旦狭まることにより逆足部２１が逆止爪７に引っ掛かる。この場合、変形量は一個の逆足部２１の突出分だけであるので、逆止爪７に深く掛かる突出寸法としても差し込み抵抗が過剰とはならない。なお、取付溝２の両ストレート面１２，１２に密接する両脚１９，２０の接触部４１，５１が、両ストレート面１２，１２を外側に押し拡げる方向に作用するよう、基部体４の形状等を構成することが望ましい。
【００２２】
基部体４は、上記の如くほゞ左右対称の二股であるが、仮に、誤って左右違いに差し込んだとすると、主脚１９の逆足部２１が引っ掛かりの無い外側溝壁３ａの内面に当たり、引っ掛かりの無い副脚２０が内側溝壁３の逆止爪７に当たることになって、差し込みが安定しなく内容物Ｗを押さえる機能を発揮するに至るまでもなく容易に抜けるために、その誤りに直ぐに気づくことになり、こうして使用上のトラブルは未然に防止される。
【００２３】
押え具Ｐを取り付けてからは、押え片５を原則として最長に（内容物Ｗへベロ出し）した状態で図２の如く内容物Ｗを弾性変形で押さえた状態とする。この状態では、押え片５が内容物Ｗを押さえる反力Ｔ（図２）は、副脚２０を押し込む作用とした働くだけでなく、外側溝壁３ａの上端箇所を支点Ｅとして逆足部２１が逆止爪７にさらに深く引っ掛かる方向Ｑに作用する。
【００２４】
内容物Ｗを取り替えるときには、押え片５を外へ引き出すことにより内容物Ｗから引っ込める（同図、図５の二点鎖線）。また、押え具Ｐを取り外すときも、外へ引き出した状態においてその操作をなす。このときは、押え片５の引き出し端部５ａを上に持ち上げる（図５）。そうすると、まず、外側の副脚２０が弾性変形して抜けながら、ストレート面１２の上端や口許斜面、さらには内側溝壁３の上端面が順次支点Ｓａ，Ｓｂ，Ｓｃとなって、梃子の原理で、主脚１９が横方向Ｆへ反転し（図５）、逆止爪７から逆足部２１が外れるから、さらに持ち上げて両脚１９，２０を引き抜くことができる。したがって、その間には引き抜きに抵抗や引っ掛かりは全く生じない。
【００２５】
基部体４は、横幅広い形状に形成するとともに、差し込みに抵抗が少なくなるように、幅中央に切欠２２を設けた。また、こうした場合には、股開きにすることによりスライド溝２５を幅開きにできるので、スライド押え片５を組み付けのために差し込みやすくなる。
【００２６】
図６は、取付溝２の他の形状を示したもので、内外側溝壁３，３ａの内面がストレート面となっており、内側溝壁３の高さ中途に逆止爪７が形成される。この場合は、取付溝２の内側溝壁３の上端面が押え片５を持ち上げたときの支点Ｓとなる。
【００２７】
図７ないし図９は、取付溝２が内側面開放型である場合の一実施例を示し、この場合、フレーム１では、裏面の体裁を図るために裏面開口を避けたもので、フレーム１の外側壁に後端から屈折して突設した裏面壁を外側溝壁３ａとなし、その下に内側溝壁３を突設して取付溝２を構成した。取付溝２の内部の形状については、前記最初の実施例とほゞ同様であるので同符号を付して詳細は説明を省略する。また、両内側面がストレート（図６参照）であっても良いことも同様である。いずれにしても前記実施例と同じく、この場合も枠内方回りＲの側の内側溝壁３に逆止爪７が形成される。
【００２８】
押え具Ｐは、同じく基部体４と押え片５とからなるものであるが、基部体４は、前記実施例のものとは異なっており、外側溝壁３ａに接合する腰部１８の下面部１８ａの端から取付溝２にその開口を封じるように迂回片４３を垂下し、迂回片４３に両脚１９，２０を横向きに突設し、そのうちの下側の主脚１９の先端に逆足部２１が形成される。
【００２９】
図８は、押え具Ｐを取付けて押え片５が内容物Ｗを押さえ止めている状態を示したもので、押え片５が弾性により内容物Ｗを押さえる反力Ｔが逆足部２１が逆止爪７に深く掛かる方向Ｑの力として作用する。なお、この場合、外側溝壁３ａの外面がほゞ全体的に支点となると考えられる。また、この実施例では、外側溝壁３ａを腰部１８の下面部１８ａと副脚２０とで挟持して逆止爪に対する逆足部２１の引っ掛かりを保持しているので、これよっても抜けない確実性が確保されている。
【００３０】
しかし、押え具Ｐを取り外すときには（図９）、迂回片４３の端が接触する内側溝壁３の口縁部が支点Ｓとなるので、逆足部２１が逆止爪７から抜ける方向Ｆの力が働き、それを副脚２０が変形で許容することは前記実施例においてと同様である。
【００３１】
図１０ないし図１３は、それぞれ取付溝２に差し込む脚が一本脚とも言えるもので、原理的には上記実施例と同じであって、副脚２０が溝壁に対する弾性変形可能な接触部４１が前記実施例における副脚２０と同じ作用を果たす。スライド押え片５を内容物Ｗに押し出すと（実線）、それを押さえる反力Ｔは、腰部１８が外側溝壁３ａの上端が支点Ｅとなり、逆足部２１を逆止爪７に深く嵌まる作用となり、また、スライド押え片５を引き出して、その基端部（二点鎖線部分）を持ち上げると（矢印）、内側溝壁３の上端が支点Ｓとなって、逆足部２１が逆止爪７から外れるので、一脚２４を引き抜くことができる。以上は、上記実施例のものと同様である。
【００３２】
図１０では、腰部１８から突出されるその一脚２４は、蛇行状であって、基端に外側溝壁３ａの内面に接合する接触部４１を有し、蛇行片４２を介して逆足部２１を有する部分を溝内面に押し付け、こうして逆足部２１が逆止爪７に掛かる状態が保持される。この場合一脚２４の弾力が、側溝壁３ａの内面に接する接触部４１，５１において、側溝壁３ａを外側に押し拡げる方向に作用するように、一脚２４の形状等を構成することが望ましい。
【００３３】
図１１では、腰部１８から突出される一脚２４は、反転屈曲するく字形ないしフック形の屈曲形状であって、反転部が外側溝壁３ａの内面に対する接触部４１として、逆止爪７に対する逆足部２１の係合を保持している。この場合も、一脚２４の弾力が、側溝壁３ａの内面に対する接触部４１，５１，６１において、側溝壁３ａを外側に押し拡げる方向に作用するように、一脚２４の形状等を構成することが望ましい。
【００３４】
図１２では、最初の実施例と同じく一脚２４が垂直形であるが、腰部１８に内側溝壁３の上端部を挟む弾性変形可能な垂直片２０ａを接触部４１，５１として突設される。この挟み状態において逆止爪７に対する逆足部２１の引っ掛かりが保持される。なおこの場合、接触部４１，５１が、一脚２４と垂直片２０ａの弾力により、内側溝壁３の内外面を挟み付けるように構成することが望ましい。
【００３５】
図１３および図１４では、一脚２４が取付溝２に弾性変形して差し込まれる筒形に形成され、下端の一側に逆止爪７に掛かる逆足部２１が突設される。したがって、逆足部２１の反対側の部分が、外側溝壁３ａに対する接触部４１となり、筒形に伴う弾性変形により逆止爪７に対する逆足部２１の係合が保持される。なお、一脚２４の筒形は円形又は楕円形が望ましい。またこの場合も、内外側溝壁３，３ａに対する接触部４１，５１にあっては、内外側溝壁３，３ａを外側に押し拡げるように筒形一脚２４を構成することが望ましい。
【００３６】
図１５は、スライド押え片５の中央に凸（又は凹）の指掛け４５を設けた場合であって、指掛け４５でスライド押え片５を出し入れするために、腰部１８の幅中央に切欠による通し口４７が設けられる。なお、これは、以上のいずれの実施例においても適用できるが、その場合には、主副脚や一脚には二股とするような切欠（２２）を設けないことが望ましい。
【図面の簡単な説明】
【００３７】
【図１】この発明の一実施例として額縁における内容物押え具を取付け要領で示す斜視図である。
【図２】同押え具の取付け状態を示す額縁の一部断面図である。
【図３】同押え具のうちの基部体の正面図である。
【図４】同押え具のうちのスライド押え片の平面図である。
【図５】同押え具をフレームから取り外す手順を示す拡大断面図である。
【図６】他の実施例を示すフレームの取付溝部分の拡大断面図である。
【図７】さらに他の実施例を示す図１に対応する斜視図である。
【図８】同押え具の取付け状態を示す額縁の一部断面図である。
【図９】同押え具をフレームから取り外す手順を示す図５に対応する断面図である。
【図１０】内容物押え具の他の実施例を取り付け状態において示す断面図である。
【図１１】内容物押え具のさらに他の実施例を取り付け状態において示す断面図である。
【図１２】内容物押え具のさらに他の実施例を取り付け状態において示す断面図である。
【図１３】内容物押え具のさらに他の実施例を取り付け状態において示す断面図である。
【図１４】同内容物押え具の一脚を示す斜視断面図である。
【図１５】内容物押え具の他の実施例を示す平面図である。
【図１６】従来例を示す図１および図７に対応する斜視図である。
【符号の説明】
【００３８】
Ｇ  額縁
Ｐ  額縁における内容物押え具
Ｒ  枠内方回り
Ｅ，Ｓ，Ｓａ，Ｓｂ，Ｓｃ  支点
Ｗ  内容物
１  フレーム
２  取付溝
３  内側溝壁
３ａ  外側溝壁
４  基部体
５  スライド押え片
５ａ  引き出し端部
７  逆止爪
１８  腰部
１９  主脚
２０  副脚
２２  切欠
２１  逆足部
２４  一脚
２５  スライド溝
４１  接触部
４３  迂回片
４５  指掛け
４７  通し口
【図１】
2008253490.tif 000003
【図２】
2008253490.tif 000004
【図３】
2008253490.tif 000005
【図４】
2008253490.tif 000006
【図５】
2008253490.tif 000007
【図６】
2008253490.tif 000008
【図７】
2008253490.tif 000009
【図８】
2008253490.tif 000010
【図９】
2008253490.tif 000011
【図１０】
2008253490.tif 000012
【図１１】
2008253490.tif 000013
【図１２】
2008253490.tif 000014
【図１３】
2008253490.tif 000015
【図１４】
2008253490.tif 000016
【図１５】
2008253490.tif 000017
【図１６】
2008253490.tif 000018